(57)【要約】【課題】  衝突確率の上昇、コストアップすることなく、オブジェクトのＩＤの読み取り確率を、オブジェクトの優先度によって変更可能とする。【解決手段】  調停部３は、リーダからのＩＤ発信要求を受信すると、ＩＤ管理部２−１、２−２に対して送信タイミング生成要求を送出する。ＩＤ管理部２−１、２−２は、各々、送信タイミングを生成する。調停部３は、送信タイミングを元に、それぞれのＩＤが衝突するか否かを判定する。そして、衝突しないと判定されると、各ＩＤ管理部２−１、２−２からのＩＤを送信する送信処理を実行する。一方、衝突すると判別された場合には、ＩＤが衝突しないと判別されるまで、上述した動作を繰り返す。そして、衝突しないと判別されると、各ＩＤ管理部２−１、２−２からのＩＤを送信する送信処理を実行する。【選択図】    図１
2006340049.tif 000002
【特許請求の範囲】
【請求項１】
リーダからの識別情報発信要求に従って、管理対象物を一意に特定可能な識別情報を送信する無線タグ装置であって、
管理対象物を一意に特定可能な、異なる値を有する識別情報をそれぞれ記憶し、受付けた識別情報発信要求に基づいて前記識別情報を送出する複数の識別情報管理手段と、
前記リーダから受付けた前記識別情報発信要求を前記複数の識別情報管理手段へ送出した後、それら複数の識別情報管理手段それぞれより受付けた前記識別情報をそれぞれ含む信号を生成し、前記リーダへ送信する信号調停処理部と、
を備えることを特徴とする無線タグ装置。
【請求項２】
リーダからの識別情報発信要求に従って、管理対象物を一意に特定可能な識別情報を送信する無線タグ装置であって、
管理対象物を一意に特定可能な、異なる値を有する複数の識別情報を記憶する記憶手段と、
前記リーダからの識別情報発信要求に従って、前記複数の識別情報の各々の発信タイミングを個別に生成する発信タイミング生成手段と、
前記複数の識別情報の各々の発信タイミングに基づいて前記複数の識別信号同士が衝突するか否かを判定する判定手段と、
前記複数の識別信号のうち、前記判定手段により衝突しないと判定された識別信号を送信する送信手段と
を具備することを特徴とする無線タグ装置。
【請求項３】
前記判定手段により前記複数の識別信号同士が衝突すると判定された場合には、前記発信タイミング生成手段に対して、発信タイミングの生成を繰り返し要求する発信タイミング生成要求手段を具備することを特徴とする請求項２記載の無線タグ装置。
【請求項４】
リーダからの識別情報発信要求に従って、管理対象物を一意に特定可能な識別情報を送信する無線タグ装置であって、
管理対象物を一意に特定可能な、異なる値を有する複数の識別情報を記憶する記憶手段と、
前記リーダからの識別情報発信要求に従って、前記複数の識別信号の各々を含む発信信号を生成する発信信号生成手段と、
前記発信信号生成手段により生成された発信信号に含まれる前記複数の識別信号同士をビット単位で比較して不定となるビットがあるか否かを判定する判定手段と、
前記判定手段により不定となるビットがあると判定された場合には、当該ビットに衝突となることを示す信号を保持させた識別信号を生成する衝突信号生成手段と、
前記衝突となることを示す信号を保持させた識別信号を送信する送信手段と、
を具備することを特徴とする無線タグ装置。
【請求項５】
前記記憶手段に記憶されている複数の識別情報が、前記リーダからの識別情報発信要求で指定される識別情報の範囲内に存在するか否かを判定する呼出識別情報範囲判定手段を具備し、
前記発信信号生成手段は、前記呼出識別情報範囲判定手段により前記記憶手段に記憶されている複数の識別情報が識別情報の範囲内に存在すると判定された場合に、前記リーダからの識別情報発信要求に従って、前記複数の識別信号の各々を含む発信信号を生成することを特徴とする請求項４に記載の無線タグ装置。
【請求項６】
リーダからの識別情報発信要求に従って、管理対象物を一意に特定可能な識別情報を送信する無線タグ制御方法であって、
管理対象物を一意に特定可能な、異なる値を有する複数の識別情報を記憶し、
前記リーダからの識別情報発信要求に従って、前記複数の識別情報の各々の発信タイミングを個別に生成し、
前記複数の識別情報の各々の発信タイミングに基づいて前記複数の識別信号同士が衝突するか否かを判定し、
前記複数の識別信号のうち、前記判定手段により衝突しないと判定された識別信号を送信する
ことを特徴とする無線タグ制御方法。
【請求項７】
リーダからの識別情報発信要求に従って、管理対象物を一意に特定可能な識別情報を送信する無線タグ制御方法であって、
管理対象物を一意に特定可能な、異なる値を有する複数の識別情報を記憶し、
前記リーダからの識別情報発信要求に従って、前記複数の識別信号の各々を含む発信信号を生成し、
前記発信信号生成手段により生成された発信信号に含まれる前記複数の識別信号同士をビット単位で比較して不定となるビットがあるか否かを判定し、
前記判定手段により不定となるビットがあると判定された場合には、当該ビットに衝突となることを示す信号を保持させた識別信号を生成し、
前記衝突となることを示す信号を保持させた識別信号を送信する
ことを特徴とする無線タグ制御方法。
【請求項８】
管理対象物を一意に特定可能な、異なる値を有する複数の識別情報を記憶する記憶手段を備え、
リーダからの識別情報発信要求に従って、管理対象物を一意に特定可能な識別情報を送信する無線タグ装置のコンピュータに実行させるプログラムであって、
前記リーダからの識別情報発信要求に従って、前記複数の識別情報の各々の発信タイミングを個別に生成する処理と、
前記複数の識別情報の各々の発信タイミングに基づいて前記複数の識別信号同士が衝突するか否かを判定する処理と、
前記複数の識別信号のうち、前記判定手段により衝突しないと判定された識別信号を送信する処理と、
をコンピュータに実行させるプログラム。
【請求項９】
管理対象物を一意に特定可能な、異なる値を有する複数の識別情報を記憶する記憶手段を備え、
リーダからの識別情報発信要求に従って、管理対象物を一意に特定可能な識別情報を送信する無線タグ装置のコンピュータに実行させるプログラムであって、
前記リーダからの識別情報発信要求に従って、前記複数の識別信号の各々を含む発信信号を生成する処理と、
前記発信信号生成手段により生成された発信信号に含まれる前記複数の識別信号同士をビット単位で比較して不定となるビットがあるか否かを判定する処理と、
前記判定手段により不定となるビットがあると判定された場合には、当該ビットに衝突となることを示す信号を保持させた識別信号を生成する処理と、
前記衝突となることを示す信号を保持させた識別信号を送信する処理と、
をコンピュータに実行させるプログラム。
【請求項１０】
請求項８または請求項９記載のプログラムを記録したコンピュータで読み取り可能な記録媒体。  
【発明の詳細な説明】
【技術分野】
【０００１】
本発明は、リーダからのＩＤ発信要求に対してＩＤを発信する無線タグ装置、無線タグ制御方法およびそのプログラムと記録媒体に関する。
【背景技術】
【０００２】
従来の無線タグ装置では、図６に示すように、リーダからのＩＤ発信要求を受信すると、一意に特定可能なＩＤを発信する発信タイミングをＩＤ管理部１００により生成し、該発信タイミングでＩＤを発信する。他の無線タグ装置間での呼出時の応答による信号衝突を避けるためにアンチコリジョン法として、アロハ手順や、バイナリサーチ法などが利用されている（例えば非特許文献１参照）。
【非特許文献１】ＲＦＩＤハンドブック第２版、日刊工業新聞社
【発明の開示】
【発明が解決しようとする課題】
【０００３】
しかしながら、上述した従来技術では、各無線タグ装置とも同じ条件でリーダから検索されるため、優先度を付けて管理することができない。すなわち、従来技術では、全ての無線タグ装置が同様の方法でアンチコリジョンを行うため、リーダでの読み取り確率を、無線タグ装置を取り付けるオブジェクトの優先度によって変えることは困難であった。
【０００４】
そこで、同一オブジェクトに対して、複数の無線タグ装置を取り付けて優先度を変化させ、オブジェクトのＩＤの読み取り確率を向上させることが考えられる。しかしながら、システム全体としてＩＤ数が増加すると、信号衝突が起こりやすくなり、かつ、複数の無線タグ装置を取り付けるためにシステムコストが増加するという問題が生じる。
【０００５】
本発明は、このような事情を考慮してなされたものであり、その目的は、衝突確率の上昇、コストアップすることなく、オブジェクトのＩＤの読み取り確率を、オブジェクトの優先度によって変えることができる無線タグ装置、無線タグ制御方法およびそのプログラムと記録媒体を提供することを目的としている。
【課題を解決するための手段】
【０００６】
本発明は、上述の課題を解決すべくなされたもので、リーダからの識別情報発信要求に従って、管理対象物を一意に特定可能な識別情報を送信する無線タグ装置であって、管理対象物を一意に特定可能な、異なる値を有する識別情報をそれぞれ記憶し、受付けた識別情報発信要求に基づいて前記識別情報を送出する複数の識別情報管理手段と、前記リーダから受付けた前記識別情報発信要求を前記複数の識別情報管理手段へ送出した後、それら複数の識別情報管理手段それぞれより受付けた前記識別情報をそれぞれ含む信号を生成し、前記リーダへ送信する信号調停処理部と、を備えることを特徴とする無線タグ装置である。
【０００７】
また本発明は、リーダからの識別情報発信要求に従って、管理対象物を一意に特定可能な識別情報を送信する無線タグ装置であって、管理対象物を一意に特定可能な、異なる値を有する複数の識別情報を記憶する記憶手段と、前記リーダからの識別情報発信要求に従って、前記複数の識別情報の各々の発信タイミングを個別に生成する発信タイミング生成手段と、前記複数の識別情報の各々の発信タイミングに基づいて前記複数の識別信号同士が衝突するか否かを判定する判定手段と、前記複数の識別信号のうち、前記判定手段により衝突しないと判定された識別信号を送信する送信手段とを具備することを特徴とする無線タグ装置である。
【０００８】
また本発明は、前記判定手段により前記複数の識別信号同士が衝突すると判定された場合には、前記発信タイミング生成手段に対して、発信タイミングの生成を繰り返し要求する発信タイミング生成要求手段を具備することを特徴とする。
【０００９】
また本発明は、リーダからの識別情報発信要求に従って、管理対象物を一意に特定可能な識別情報を送信する無線タグ装置であって、管理対象物を一意に特定可能な、異なる値を有する複数の識別情報を記憶する記憶手段と、前記リーダからの識別情報発信要求に従って、前記複数の識別信号の各々を含む発信信号を生成する発信信号生成手段と、前記発信信号生成手段により生成された発信信号に含まれる前記複数の識別信号同士をビット単位で比較して不定となるビットがあるか否かを判定する判定手段と、前記判定手段により不定となるビットがあると判定された場合には、当該ビットに衝突となることを示す信号を保持させた識別信号を生成する衝突信号生成手段と、前記衝突となることを示す信号を保持させた識別信号を送信する送信手段と、を具備することを特徴とする無線タグ装置である。
【００１０】
また本発明は、前記記憶手段に記憶されている複数の識別情報が、前記リーダからの識別情報発信要求で指定される識別情報の範囲内に存在するか否かを判定する呼出識別情報範囲判定手段を具備し、前記発信信号生成手段は、前記呼出識別情報範囲判定手段により前記記憶手段に記憶されている複数の識別情報が識別情報の範囲内に存在すると判定された場合に、前記リーダからの識別情報発信要求に従って、前記複数の識別信号の各々を含む発信信号を生成することを特徴とする。
【００１１】
また本発明は、リーダからの識別情報発信要求に従って、管理対象物を一意に特定可能な識別情報を送信する無線タグ制御方法であって、管理対象物を一意に特定可能な、異なる値を有する複数の識別情報を記憶し、前記リーダからの識別情報発信要求に従って、前記複数の識別情報の各々の発信タイミングを個別に生成し、前記複数の識別情報の各々の発信タイミングに基づいて前記複数の識別信号同士が衝突するか否かを判定し、前記複数の識別信号のうち、前記判定手段により衝突しないと判定された識別信号を送信することを特徴とする無線タグ制御方法である。
【００１２】
また本発明は、リーダからの識別情報発信要求に従って、管理対象物を一意に特定可能な識別情報を送信する無線タグ制御方法であって、管理対象物を一意に特定可能な、異なる値を有する複数の識別情報を記憶し、前記リーダからの識別情報発信要求に従って、前記複数の識別信号の各々を含む発信信号を生成し、前記発信信号生成手段により生成された発信信号に含まれる前記複数の識別信号同士をビット単位で比較して不定となるビットがあるか否かを判定し、前記判定手段により不定となるビットがあると判定された場合には、当該ビットに衝突となることを示す信号を保持させた識別信号を生成し、前記衝突となることを示す信号を保持させた識別信号を送信することを特徴とする無線タグ制御方法である。
【００１３】
また本発明は、管理対象物を一意に特定可能な、異なる値を有する複数の識別情報を記憶する記憶手段を備え、リーダからの識別情報発信要求に従って、管理対象物を一意に特定可能な識別情報を送信する無線タグ装置のコンピュータに実行させるプログラムであって、前記リーダからの識別情報発信要求に従って、前記複数の識別情報の各々の発信タイミングを個別に生成する処理と、前記複数の識別情報の各々の発信タイミングに基づいて前記複数の識別信号同士が衝突するか否かを判定する処理と、前記複数の識別信号のうち、前記判定手段により衝突しないと判定された識別信号を送信する処理と、をコンピュータに実行させるプログラムである。
【００１４】
また本発明は、管理対象物を一意に特定可能な、異なる値を有する複数の識別情報を記憶する記憶手段を備え、リーダからの識別情報発信要求に従って、管理対象物を一意に特定可能な識別情報を送信する無線タグ装置のコンピュータに実行させるプログラムであって、前記リーダからの識別情報発信要求に従って、前記複数の識別信号の各々を含む発信信号を生成する処理と、前記発信信号生成手段により生成された発信信号に含まれる前記複数の識別信号同士をビット単位で比較して不定となるビットがあるか否かを判定する処理と、前記判定手段により不定となるビットがあると判定された場合には、当該ビットに衝突となることを示す信号を保持させた識別信号を生成する処理と、前記衝突となることを示す信号を保持させた識別信号を送信する処理と、をコンピュータに実行させるプログラムである。
【００１５】
また本発明は、請求項８または請求項９記載のプログラムを記録したコンピュータで読み取り可能な記録媒体である。
【発明の効果】
【００１６】
この発明によれば、管理対象物を一意に特定可能な、異なる値を有する複数の識別情報を記憶手段に記憶しておき、前記リーダからの識別情報発信要求に従って、発信タイミング生成手段により、前記複数の識別情報の各々の発信タイミングを個別に生成し、判定手段により、前記発信タイミングに基づいて前記複数の識別信号同士が衝突するか否かを判定し、送信手段により、前記複数の識別信号のうち、衝突しないと判定された識別信号を送信する。したがって、発信前に予め内部で発信タイミングを調停しているので、複数の識別同士の発信時の衝突が生じない。ゆえに、衝突確率の上昇、コストアップすることなく、オブジェクトのＩＤの読み取り確率を、オブジェクトの優先度によって変えることができるという利点が得られる。
【００１７】
また、本発明によれば、前記判定手段により前記複数の識別信号同士が衝突すると判定された場合には、発信タイミング生成要求手段により、前記発信タイミング生成手段に対して、発信タイミングの生成を繰り返し要求する。したがって、発信前に予め内部で発信タイミングを調停しているので、複数の識別情報同士が発信時に衝突しない。ゆえに、衝突確率の上昇、コストアップすることなく、オブジェクトのＩＤの読み取り確率を、オブジェクトの優先度によって変えることができるという利点が得られる。
【００１８】
この発明によれば、管理対象物を一意に特定可能な、異なる値を有する複数の識別情報を記憶手段に記憶しておき、前記リーダからの識別情報発信要求に従って、発信信号生成手段により、前記複数の識別信号の各々を含む発信信号を生成し、判定手段により、生成された発信信号に含まれる前記複数の識別信号同士をビット単位で比較して、判定手段により不定となるビットがあると判定された場合には、当該ビットに衝突となることを示す信号を保持させた識別信号を生成し、その識別信号を送信する。これにより、したがって、発信前に予め内部で衝突を調停しているので、複数の識別情報同士が発信時に衝突しない。ゆえに、衝突確率の上昇、コストアップすることなく、オブジェクトのＩＤの読み取り確率を、オブジェクトの優先度によって変えることができるという利点が得られる。
【００１９】
また、本発明によれば、呼出識別情報範囲判定手段により、前記記憶手段に記憶されている複数の識別情報が、前記リーダからの識別情報発信要求で指定される識別情報の範囲内に存在するか否かを判定し、複数の識別情報が識別情報の範囲内に存在すると判定された場合、発信信号生成手段により、前記リーダからの識別情報発信要求に従って、前記複数の識別信号の各々を含む発信信号を生成する。したがって、衝突確率の上昇、コストアップすることなく、オブジェクトのＩＤの読み取り確率を、オブジェクトの優先度によって変えることができるという利点が得られる。
【発明を実施するための最良の形態】
【００２０】
以下、本発明の一実施形態による無線タグ装置を、図面を参照して説明する。
Ａ．第１実施形態
Ａ−１．第１実施形態の構成
図１は、本発明の第１実施形態による無線タグ装置の略構成を示すブロック図である。図において、無線タグ１は、複数のＩＤ管理部２−１、２−２と、調停部３とを備えている。ＩＤ管理部２−１、２−２は、各々、個別のＩＤを管理し、調停部３からの発信タイミング生成要求に従って、調停部３にＩＤの発信タイミングを通知するとともにＩＤを供給する。
【００２１】
調停部３は、図示しないリーダからのＩＤ発信要求を受信すると、各ＩＤ管理部２−１、２−２に対してＩＤの発信タイミング生成要求を送出する。また、調停部３は、発信タイミング生成要求に対して通知される、各ＩＤ管理部２−１、２−２からのＩＤの発信タイミングに従って、それぞれのＩＤが衝突するか否かを判別し、衝突しないと判別するまで、各ＩＤ管理部２−１、２−２に対して発信タイミング生成要求の送出を繰り返す一方、衝突しないと判別すると、各ＩＤ管理部２−１、２−２からのＩＤを送信するようになっている。
【００２２】
なお、図１では、個別のＩＤを管理するＩＤ管理部として、２つのＩＤ管理部２−１、２−２を備える構成を示しているが、ＩＤおよび該ＩＤを管理するＩＤ管理部は、２つ以上であってもよい。
【００２３】
Ａ−２．第１実施形態の動作
次に、上述した第１実施形態の動作について説明する。ここで、図２は、本第１実施形態による無線タグ装置の動作を説明するためのシーケンス図である。まず、調停部３は、図示しないリーダからのＩＤ発信要求を受信すると（Ｓ１）、ＩＤ管理部２−１、２−２に対して送信タイミング生成要求を送出する（Ｓ２）。これに対して、ＩＤ管理部２−１、２−２は、各々、送信タイミングを生成し（Ｓ３）、調停部３に通知する（Ｓ４）。調停部３は、ＩＤ管理部２−１、２−２からの送信タイミングを元に、それぞれのＩＤが衝突するか否かを判定する（Ｓ５）。そして、衝突しないと判定されると、各ＩＤ管理部２−１、２−２からのＩＤを送信する送信処理を実行する（Ｓ６）。一方、衝突すると判別された場合には、ＩＤが衝突しないと判別されるまで、上述した動作を繰り返す（Ｓ７〜Ｓ１０）。そして、衝突しないと判別されると、各ＩＤ管理部２−１、２−２からのＩＤを送信する送信処理を実行する（Ｓ１１）。
【００２４】
Ｂ．第２実施形態
次に、本発明の第２実施形態について説明する。本第２実施形態では、特に、バイナリサーチを採用した場合について説明する。図３は、本第２実施形態による無線タグ装置の略構成を示すブロック図である。図において、無線タグ１１は、複数のＩＤ管理部１２−１、１２−２と、調停部１３とを備えている。ＩＤ管理部１２−１、１２−２は、各々、個別のＩＤ「１０１０」、「１１１０」を管理し、調停部１３からの送信信号生成要求に従ってＩＤを含む送信信号を生成して調停部１３に通知する。
【００２５】
調停部１３は、図示しないリーダからのＩＤ発信要求を受信すると、各ＩＤ管理部１２−１、１２−２に対して送信信号生成要求を送出する。ところで、バイナリサーチ方式では、リーダは、ＩＤ発信要求として応答を返すべきＩＤ範囲を指定する。例えば、リーダがＩＤ発信要求として「ＩＤ＜１１１１」を要求した場合には、ＩＤタグ装置では、「１１１１」より小さいＩＤを持つ場合に、ＩＤを含む送信信号を生成してリーダに送信するようになっている。リーダは、上記ＩＤ範囲を絞り込むことにより、徐々に目的のＩＤを持つＩＤタグを特定する。したがって、より具体的には、上記調停部１３は、自身の無線タグ装置で管理しているＩＤが、図示しないリーダからのＩＤ発信要求で指定されるＩＤ範囲内であれば、その条件に合うＩＤ管理部に対して、送信信号生成要求を送出するようになっている。
【００２６】
また、調停部１３は、送信信号生成要求に対して通知される、各ＩＤ管理部２−１、２−２からの送信信号に従って、送信信号に含まれる、それぞれのＩＤからコリジョン信号を生成するようになっている。ここで、ＩＤおよびコリジョン信号について説明する。バイナリサーチ方式では、図５（ａ）に示すように、信号の立上りで「１」を示し、信号の立下りで「０」を示すマンチェスタ符号を採用している。例えば、ＩＤ管理部１２−１からのＩＤ＃Ａ「１０１０」は、図５（ｂ）に示すように表され、ＩＤ管理部１２−２からのＩＤ＃Ｂ「１１１０」は、図５（ｂ）に示すように表される。
【００２７】
この場合、ＩＤ管理部１２−１からのＩＤ＃ＡとＩＤ管理部１２−２からのＩＤ＃Ｂ「１１１０」とが衝突すると想定すると、互いに同じ値を有するビットでは、データが衝突したとしても、その値は変化しないが、異なる値のビットでは、どちらの値になるか不定となる。すなわち、ＩＤ＃Ａ「１０１０」とＩＤ＃Ｂ「１１１０」とでは、下位３ビット目がそれぞれ「０」と「１」であるので、該下位３ビット目が不定となる。そこで、調停部１３では、衝突した場合に不定となるであろうビットを不定ビット（便宜上「ｘ」とする）とするコリジョン信号「１ｘ１０」を生成する。一方、調停部１３は、送信信号生成要求に対して通知される、各ＩＤ管理部１２−１、１２−２からのそれぞれのＩＤを含む送信信号に従って、ＩＤが衝突しないと判別した場合には、そのＩＤを含む送信信号を送信するようになっている。
【００２８】
図示しないリーダは、上記コリジョン信号を受信すると、該コリジョン信号の不定ビットを「０」とするＩＤ範囲、すなわち検索範囲を狭めるようなＩＤ範囲としたＩＤ発信要求を送信する。上記コリジョン信号「１ｘ１０」の場合には、「＜１０１０」となる。このように、コリジョン信号は、リーダによる検索範囲を効率的に狭めるために用いられる。リーダは、コリジョン信号が受信されなくなるまで、各ＩＤ管理部１２−１、１２−２に対してＩＤ発信要求の送出を繰り返す。言い換えると、コリジョン信号が受信されなくなる場合とは、いずれかの無線タグ装置から１つのＩＤを受信したこと、すなわち絞り込まれたことを意味する。
【００２９】
なお、図３では、個別のＩＤを管理するＩＤ管理部として、２つのＩＤ管理部１２−１、１２−２を備える構成を示しているが、ＩＤおよび該ＩＤを管理するＩＤ管理部は、２つ以上であってもよい。
【００３０】
Ｂ−２．第２実施形態の動作
次に、上述した第２実施形態の動作について説明する。ここで、図４は、本第２実施形態による無線タグ装置の動作を説明するためのシーケンス図である。なお、図４には、リーダ１５および１つのＩＤ「１１００」を有する、他の無線タグ装置２０を示している。まず、リーダ１５は、応答を返すべきＩＤ範囲を指定したＩＤ発信要求（ＩＤ＜１１１１）を送信する（Ｓ２０）。該ＩＤ発信要求は、無線タグ装置１１および無線タグ装置２０で受信される。
【００３１】
無線タグ装置１１の調停部１３は、自身の無線タグ装置で管理しているＩＤが、図示しないリーダからのＩＤ発信要求で指定されるＩＤ範囲内であるか判定し（Ｓ２１）、その条件に合うＩＤ管理部、この場合、ＩＤ管理部１２−１、１２−２に対して送信信号生成要求を送出する（Ｓ２２）。ＩＤ管理部１２−１、１２−２では、各々、それぞれのＩＤを含む送信信号を生成し（Ｓ２３）、調停部１３に通知する（Ｓ２４）。
【００３２】
調停部１３は、ＩＤ管理部１２−１、１２−２から通知される、ＩＤを含む送信信号に従って、衝突した場合に不定となるビットを不定ビット（便宜上「ｘ」とする）とするコリジョン信号「１ｘ１０」を生成し（Ｓ２５）、リーダ１５に送信する（Ｓ２６）。
【００３３】
一方、他の無線タグ装置２０では、自身の無線タグ装置で管理しているＩＤが、リーダ１５からのＩＤ発信要求で指定されるＩＤ範囲内である場合、ＩＤ「１１００」を含む送信信号を生成し（Ｓ２７）、調停部１３に発信する（Ｓ２８）。
【００３４】
リーダ１５では、無線タグ装置１１からのコリジョン信号、および無線タグ装置２０からの送信信号を同時に受信したとすると、２つの信号において不定となるビットを検出する。ここで無線タグ装置１１からのコリジョン信号「１ｘ１０」と、無線タグ装置２０からの送信信号「１１００」を同時に受信した際の不定となるビットは３桁目である。つまりリーダ１５は４桁のビットのうち２桁目と３桁目が不定であると判定し「１ｘｘ０」の信号を検出する（Ｓ２９）。このため、リーダ１５は、Ｓ２０において送信したＩＤ発信要求のうち２桁目と３桁目の不定なビットにおいて範囲を絞ったＩＤの発信要求をするための範囲を決定する。ここでＳ２０で送信したＩＤ発信要求が「ＩＤ＜１１１１」であったので、次に２桁目と３桁目を用いてＩＤの範囲を絞るとともに、無線タグ装置１１および無線タグ装置２０で管理しているＩＤの範囲となる「ＩＤ＜１０１０」のＩＤ発信要求を送信すると決定する。そして、リーダ１５は検索範囲を狭めるようなＩＤ範囲としたＩＤ発信要求「＜１０１０」を送信する（Ｓ３０）。該ＩＤ発信要求は、無線タグ装置１１および無線タグ装置２０で受信される。
【００３５】
他の無線タグ装置２０では、リーダ１５からのＩＤ発信要求で指定されるＩＤ範囲内に、自身で管理しているＩＤがないのでＩＤを送信しない。一方、無線タグ装置１１の調停部１３は、自身の無線タグ装置で管理しているＩＤが、図示しないリーダからのＩＤ発信要求で指定されるＩＤ範囲内であるか再び判定し（Ｓ３１）、その条件に合うＩＤ管理部、この場合、ＩＤ管理部１２−１に対して送信信号生成要求を送出する（Ｓ３２）。ＩＤ管理部１２−１では、自身のＩＤを含む送信信号を生成し（Ｓ３３）、調停部１３に通知する（Ｓ３４）。
【００３６】
調停部１３は、ＩＤ管理部１２−１から通知される、ＩＤを含む送信信号を受信する。この場合、コリジョンが生じないので、そのＩＤ「１０１０」を含む送信信号をそのままリーダ１５に送信する（Ｓ３５）。
これにより、信号の検出において不定ビットとなった情報によりＩＤ範囲を狭めていくことにより、所望の無線タグ装置からの信号を受信するような構成とすることができる。
【００３７】
なお上述の各装置は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３８】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００３９】
【図１】本発明の第１実施形態による無線タグ装置の略構成を示すブロック図である。
【図２】本第１実施形態による無線タグ装置の動作を説明するためのシーケンス図である。
【図３】本発明の第２実施形態による無線タグ装置の略構成を示すブロック図である。
【図４】本第２実施形態による無線タグ装置の動作を説明するためのシーケンス図である。
【図５】本第２実施形態によるコリジョン信号について説明するための概念図である。
【図６】従来の無線タグ装置の略構成例を示すブロック図である。
【符号の説明】
【００４０】
１  無線タグ装置
２−１、２−２  ＩＤ管理部（発信タイミング生成手段）
３  調停部（判定手段、送信手段、発信タイミング生成要求手段）
１１  無線タグ装置
１２−１、１２−２  ＩＤ管理部（発信信号生成手段）
１３  調停部（判定手段、送信手段、衝突信号生成手段、呼出識別情報範囲判定手段）
１５  リーダ
２０  他の無線タグ装置
【図１】
2006340049.tif 000003
【図２】
2006340049.tif 000004
【図３】
2006340049.tif 000005
【図４】
2006340049.tif 000006
【図５】
2006340049.tif 000007
【図６】
2006340049.tif 000008